(57)【要約】  本開示は、データ伝送方法、装置、ネットワーク側機器およびユーザ機器を提供する。第１機器に応用される当該データ伝送方法において、Ｋ個のサウンディング参照信号ＳＲＳリソースを指示するアップリンクのＳＲＳリソース構成情報を第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを第２機器に送信するステップとを含む。【選択図】  図１
2020523932.tif 000002
【特許請求の範囲】
【請求項１】
第１機器に応用されるデータ伝送方法において、
Ｋ個のサウンディング参照信号ＳＲＳリソースを指示するアップリンクのＳＲＳリソース構成情報を第２機器に送信するステップと、
前記第２機器から前記ＳＲＳリソース構成情報に基づいて送信されるＳＲＳ信号を受信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、
前記ＳＲＩを前記第２機器に送信するステップとを含む、データ伝送方法。
【請求項２】
アップリンクデータ伝送の層数を示し、前記第２機器のアップリンクデータ伝送に対応する伝送ランク識別子ＴＲＩを特定するステップと、
前記ＴＲＩを前記第２機器に送信するステップとをさらに含む、請求項１に記載のデータ伝送方法。
【請求項３】
各アップリンクデータ伝送層と、前記ＳＲＩで指示される少なくとも１つのＳＲＳリソースとは、対応関係が存在する、請求項２に記載のデータ伝送方法。
【請求項４】
各アップリンクデータ伝送層で用いられるアップリンクビームフォーミング行列と、前記アップリンクデータ伝送層に対応するＳＲＳリソースのアップリンクビームフォーミング行列とは一致する、請求項３に記載のデータ伝送方法。
【請求項５】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記ＬＳＩを前記第２機器に送信するステップをさらに含む、請求項３に記載のデータ伝送方法。
【請求項６】
各アップリンクデータ伝送層と、前記Ｌ個のＳＲＳリソースのうちの少なくとも１つのＳＲＳリソースとの対応関係は、ＳＲＩによって指示される、請求項３に記載のデータ伝送方法。
【請求項７】
前記ＳＲＩで指示されるＳＲＳリソースの数Ｌと、アップリンクデータ伝送の層数またはコードワード数とは一致する、請求項６に記載のデータ伝送方法。
【請求項８】
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する、請求項６に記載のデータ伝送方法。
【請求項９】
第２機器に応用されるデータ伝送方法において、
Ｋ個のサウンディング参照信号ＳＲＳリソースを指示するアップリンクのＳＲＳリソース構成情報を第１機器から受信するステップと、
前記ＳＲＳリソース構成情報に基づいて、ＳＲＳ信号を前記第１機器に送信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、
前記ＳＲＩに基づいてアップリンクデータ伝送を行うステップとを含む、データ伝送方法。
【請求項１０】
アップリンクデータ伝送の層数を示し、アップリンクデータ伝送に対応する伝送ランク識別子ＴＲＩを前記第１機器から受信するステップと、
前記ＴＲＩを解析し、前記第１機器によって前記第２機器に対し特定したアップリンクデータ伝送の層数を取得するステップとをさらに含む、請求項９に記載のデータ伝送方法。
【請求項１１】
各アップリンクデータ伝送層と、前記ＳＲＩで指示される少なくとも１つのＳＲＳリソースとは、対応関係が存在する、請求項１０に記載のデータ伝送方法。
【請求項１２】
各アップリンクデータ伝送層で用いられるアップリンクビームフォーミング行列と、前記アップリンクデータ伝送層に対応するＳＲＳリソースのアップリンクビームフォーミング行列とは一致する、請求項１１に記載のデータ伝送方法。
【請求項１３】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記第１機器から送信される前記ＬＳＩを受信するステップと、
前記ＬＳＩを解析し、各アップリンクデータ伝送層と、前記Ｌ個のＳＲＳリソースのうちの少なくとも１つのＳＲＳリソースとの対応関係を取得するステップとをさらに含む、請求項１１に記載のデータ伝送方法。
【請求項１４】
各アップリンクデータ伝送層と、前記Ｌ個のＳＲＳリソースのうちの少なくとも１つのＳＲＳリソースとの対応関係は、ＳＲＩによって指示され、
前記ＳＲＩに基づいてアップリンクデータ伝送を行うステップは、
前記ＳＲＩを解析し、各アップリンクデータ伝送層と、前記Ｌ個のＳＲＳリソースのうちの少なくとも１つのＳＲＳリソースとの対応関係を取得するステップと、
前記Ｌ個のＳＲＳリソースを用いて、対応するアップリンクデータ伝送層をそれぞれ送信するステップとを含む、請求項１１に記載のデータ伝送方法。
【請求項１５】
前記ＳＲＩで指示されるＳＲＳリソースの数Ｌと、アップリンクデータ伝送の層数またはコードワード数とは一致する、請求項１４に記載のデータ伝送方法。
【請求項１６】
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する、請求項１４に記載のデータ伝送方法。
【請求項１７】
第１機器に応用されるデータ伝送装置において、
Ｋ個のサウンディング参照信号ＳＲＳリソースを指示するアップリンクのＳＲＳリソース構成情報を第２機器に送信する第１送信モジュールと、
前記第２機器から前記ＳＲＳリソース構成情報に基づいて送信されるＳＲＳ信号を受信する第１受信モジュールと、
前記Ｋ個のＳＲＳリソースのうちのＬ（１以上の整数であり、Ｌ≦Ｋ）個のＳＲＳリソースを指示するＳＲＳリソース指示情報ＳＲＩを特定する第１特定モジュールと、
前記ＳＲＩを前記第２機器に送信する第２送信モジュールとを含む、データ伝送装置。
【請求項１８】
アップリンクデータ伝送の層数を示し、前記第２機器のアップリンクデータ伝送に対応する伝送ランク識別子ＴＲＩを特定する第２特定モジュールと、
前記ＴＲＩを前記第２機器に送信する第３送信モジュールとをさらに含む、請求項１７に記載のデータ伝送装置。
【請求項１９】
各アップリンクデータ伝送層と、前記ＳＲＩで指示される少なくとも１つのＳＲＳリソースとは、対応関係が存在する、請求項１８に記載のデータ伝送装置。
【請求項２０】
各アップリンクデータ伝送層で用いられるアップリンクビームフォーミング行列と、前記アップリンクデータ伝送層に対応するＳＲＳリソースのアップリンクビームフォーミング行列とは一致する、請求項１９に記載のデータ伝送装置。
【請求項２１】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記ＬＳＩを前記第２機器に送信する第４送信モジュールをさらに含む、請求項１９に記載のデータ伝送装置。
【請求項２２】
各アップリンクデータ伝送層と、前記Ｌ個のＳＲＳリソースのうちの少なくとも１つのＳＲＳリソースとの対応関係は、ＳＲＩによって指示される、請求項１９に記載のデータ伝送装置。
【請求項２３】
前記ＳＲＩで指示されるＳＲＳリソースの数Ｌと、アップリンクデータ伝送の層数またはコードワード数とは一致する、請求項２２に記載のデータ伝送装置。
【請求項２４】
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する、請求項２２に記載のデータ伝送装置。
【請求項２５】
第２機器に応用されるデータ伝送装置において、
Ｋ個のサウンディング参照信号ＳＲＳリソースを指示するアップリンクのＳＲＳリソース構成情報を第１機器から受信する第２受信モジュールと、
前記ＳＲＳリソース構成情報に基づいて、ＳＲＳ信号を前記第１機器に送信する第５送信モジュールと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信する第３受信モジュールと、
前記ＳＲＩに基づいてアップリンクデータ伝送を行うアップリンクデータ伝送モジュールとを含む、データ伝送装置。
【請求項２６】
アップリンクデータ伝送の層数を示し、アップリンクデータ伝送に対応する伝送ランク識別子ＴＲＩを前記第１機器から受信する第４受信モジュールと、
前記ＴＲＩを解析し、前記第１機器によって前記第２機器に対し特定したアップリンクデータ伝送の層数を取得する第１処理モジュールとをさらに含む、請求項２５に記載のデータ伝送装置。
【請求項２７】
各アップリンクデータ伝送層と、前記ＳＲＩで指示される少なくとも１つのＳＲＳリソースとは、対応関係が存在する、請求項２６に記載のデータ伝送装置。
【請求項２８】
各アップリンクデータ伝送層で用いられるアップリンクビームフォーミング行列と、前記アップリンクデータ伝送層に対応するＳＲＳリソースのアップリンクビームフォーミング行列とは一致する、請求項２７に記載のデータ伝送装置。
【請求項２９】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記第１機器から送信される前記ＬＳＩを受信する第５受信モジュールと、
前記ＬＳＩを解析し、各アップリンクデータ伝送層と、前記Ｌ個のＳＲＳリソースのうちの少なくとも１つのＳＲＳリソースとの対応関係を取得する第２処理モジュールとをさらに含む、請求項２７に記載のデータ伝送装置。
【請求項３０】
各アップリンクデータ伝送層と、前記Ｌ個のＳＲＳリソースのうちの少なくとも１つのＳＲＳリソースとの対応関係は、ＳＲＩによって指示され、
前記アップリンクデータ伝送モジュールは、
前記ＳＲＩを解析し、各アップリンクデータ伝送層と、前記Ｌ個のＳＲＳリソースのうちの少なくとも１つのＳＲＳリソースとの対応関係を取得する解析サブモジュールと、
前記Ｌ個のＳＲＳリソースを用いて、対応するアップリンクデータ伝送層をそれぞれ送信する送信サブモジュールとを含む、請求項２７に記載のデータ伝送装置。
【請求項３１】
前記ＳＲＩで指示されるＳＲＳリソースの数Ｌと、アップリンクデータ伝送の層数またはコードワード数とは一致する、請求項３０に記載のデータ伝送装置。
【請求項３２】
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する、請求項３０に記載のデータ伝送装置。
【請求項３３】
メモリと、トランシーバと、プロセッサと、前記メモリに記憶されて前記プロセッサで実行可能なコンピュータプログラムを含むネットワーク側機器において、
前記プロセッサが前記プログラムを実行すると、
Ｋ個のサウンディング参照信号ＳＲＳリソースを指示するアップリンクのＳＲＳリソース構成情報を前記トランシーバによって第２機器に送信するステップと、
前記第２機器から前記ＳＲＳリソース構成情報に基づいて送信されるＳＲＳ信号を受信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、
前記ＳＲＩを前記第２機器に送信するステップとを実現する、ネットワーク側機器。
【請求項３４】
メモリと、トランシーバと、プロセッサと、前記メモリに記憶されて前記プロセッサで実行可能なコンピュータプログラムを含むユーザ機器において、
前記プロセッサが前記プログラムを実行すると、
Ｋ個のサウンディング参照信号ＳＲＳリソースを指示するアップリンクのＳＲＳリソース構成情報を第１機器から前記トランシーバによって受信するステップと、
前記ＳＲＳリソース構成情報に基づいて、ＳＲＳ信号を前記第１機器に送信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、
前記ＳＲＩに基づいてアップリンクデータ伝送を行うステップとを実現する、ユーザ機器。
【請求項３５】
コンピュータプログラムが記憶されているコンピュータ読み取り可能な記憶媒体であって、
当該プログラムがプロセッサによって実行されると、
Ｋ個のサウンディング参照信号ＳＲＳリソースを指示するアップリンクのＳＲＳリソース構成情報を第２機器に送信するステップと、
前記第２機器から前記ＳＲＳリソース構成情報に基づいて送信されるＳＲＳ信号を受信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、
前記ＳＲＩを前記第２機器に送信するステップとが実現される、コンピュータ読み取り可能な記憶媒体。
【請求項３６】
コンピュータプログラムが記憶されているコンピュータ読み取り可能な記憶媒体であって、
当該プログラムがプロセッサによって実行されると、
Ｋ個のサウンディング参照信号ＳＲＳリソースを指示するアップリンクのＳＲＳリソース構成情報を第１機器から受信するステップと、
前記ＳＲＳリソース構成情報に基づいて、ＳＲＳ信号を前記第１機器に送信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、
前記ＳＲＩに基づいてアップリンクデータ伝送を行うステップとが実現される、コンピュータ読み取り可能な記憶媒体。
【発明の詳細な説明】
【技術分野】
【０００１】
本願は、２０１７年６月１６日に中国特許庁に提出された中国特許出願２０１７１０４５６９９２．２の優先権を主張し、その全ての内容が援用によりここに取り込まれる。
本開示は、通信技術分野に係り、特にデータ伝送方法、装置、ネットワーク側機器およびユーザ機器に係る。
【背景技術】
【０００２】
ピークレートおよびシステムのスペクトル利用率の向上に対するＭＩＮＯ（Ｍｕｌｔｉｐｌｅ−Ｉｎｐｕｔ  Ｍｕｌｔｉｐｌｅ−Ｏｕｔｐｕｔ）の重要な役割に鑑み、ＬＴＥ（登録商標）（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。ＭＩＭＯ技術の性能ゲインは、マルチアンテナシステムによって取得可能な空間自由度に由来する。よって、ＭＩＭＯ技術の標準化の発展過程における最も重要な進化方向は、次元の拡張である。
【０００３】
ＬＴＥ  Ｒｅｌ−８において、最多で４層のＭＩＭＯ伝送がサポートされる。Ｒｅｌ−９において、ＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）技術の強化がポイントであり、ＴＭ（Ｔｒａｎｓｍｉｓｓｉｏｎ  Ｍｏｄｅ）−８のＭＵ−ＭＩＭＯ伝送では、最多で４つのダウンリンクデータ層がサポートされる。Ｒｅｌ−１０において、８アンテナポートをサポートすることを導入してチャネル状態情報の空間解析度をさらに向上させ、ＳＵ−ＭＩＭＯ（Ｓｉｎｇｌｅ−Ｕｓｅｒ  ＭＩＭＯ）の伝送能力を最多８つのデータ層まで拡張させる。Ｒｅｌ−１３とＲｅｌ−１４において、ＦＤ−ＭＩＭＯ技術の導入によって３２ポートまでサポートし、全次元および垂直方向のビームフォーミングが実現される。
【０００４】
ＭＩＭＯ技術の更なる向上のために、移動通信システムには大規模なアンテナ技術が導入される。基地局にとって、フルデジタル化の大規模なアンテナは、１２８／２５６／５１２ものアンテナユニットおよび１２８／２５６／５１２もの送受信ユニットを有し、各アンテナユニットが１つの送受信ユニットに接続される。１２８／２５６／５１２ものアンテナポートのパイロット信号の送信によって、端末は、チャネル状態情報を測定してフィードバックする。端末にとって、３２／６４ものアンテナユニットのアンテナアレイを構成してもよい。基地局と端末の両方のビームフォーミングによって、巨大なビームフォーミングゲインを取得し、経路損失による信号減衰を補う。特に高周波数帯域の通信において、たとえば３０ＧＨｚの周波数点では、経路損失によって無線信号のカバレッジが大きく限定される。大規模なアンテナ技術によって、無線信号のカバレッジを実用可能な範囲内に拡大させることができる。
【０００５】
ビームフォーミングは、アナログビームフォーミングとデジタルアナログ混合型ビームフォーミングによって実現可能である。アナログビームフォーミングとデジタルアナログ混合型ビームフォーミングのいずれも、送受信の両方のアナログビームフォーミング重み値を調整する必要がある。それによって、形成されるビームは、通信の相手側に向けられる。ダウンリンク伝送の場合、基地局側から送信されるビームフォーミング重み値と端末側で受信されるビームフォーミング重み値を調整する必要があるが、アップリンク伝送の場合、端末から送信されるビームフォーミング重み値と基地局側で受信されるビームフォーミング重み値を調整する必要がある。ビームフォーミングの重み値は、通常、訓練信号の送信によって取得される。ダウンリンク方向において、基地局がダウンリンクビーム訓練信号を送信し、端末がダウンリンクビーム訓練信号を測定して最適な基地局送信ビームを選択し、ビーム関連情報を基地局にフィードバックするとともに、対応する最適な受信ビームを選択してローカルに保存する。
【０００６】
複数の送信アンテナが装備されるユーザ端末ＵＥは、アップリンクビームフォーミングを実行可能である。しかし、ＵＥが、ＴＲＰ（Ｔｒａｎｓｍｉｓｓｉｏｎ  Ｒｅｆｅｒｅｎｃｅ  Ｐｏｉｎｔ）によって指示されるアップリンクのサウンディング参照信号ＳＲＳリソースを受信する従来の方式では、具体的なアップリンクデータ伝送の実現プロセスの特定ができない。
【発明の概要】
【発明が解決しようとする課題】
【０００７】
本開示の目的は、ＴＲＰの指示に基づいたアップリンクデータ伝送を実現するデータ伝送方法、装置、ネットワーク側機器およびユーザ機器を提供することにある。
【課題を解決するための手段】
【０００８】
上記目的を達成するために、本開示の実施例は、第１機器に応用されるデータ伝送方法を提供する。当該方法において、Ｋ個のＳＲＳリソースを指示するアップリンクのＳＲＳリソース構成情報を第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを前記第２機器に送信するステップとを含む。
【０００９】
ここで、前記方法において、前記第２機器のアップリンクデータ伝送に対応する伝送ランク識別子ＴＲＩを特定するステップと、前記ＴＲＩを前記第２機器に送信するステップとをさらに含む。ＴＲＩがアップリンクデータ伝送の層数を示す。
【００１０】
ここで、各アップリンクデータ伝送層と、前記ＳＲＩで指示される少なくとも１つのＳＲＳリソースとは、対応関係が存在する。
【００１１】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【００１２】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記方法において、前記ＬＳＩを前記第２機器に送信するステップをさらに含む。
【００１３】
ここで、各アップリンクデータ伝送層と、前記Ｌ個のＳＲＳリソースのうちの少なくとも１つのＳＲＳリソースとの対応関係は、ＳＲＩによって指示される。
【００１４】
ここで、前記ＳＲＩで指示されるＳＲＳリソースの数Ｌと、アップリンクデータ伝送の層数またはコードワード数とは一致する。
【００１５】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００１６】
前記目的を達成するために、本開示の実施例は、第２機器に応用されるデータ伝送方法をさらに提供する。当該方法において、Ｋ個のサウンディング参照信号ＳＲＳリソースを指示するアップリンクのＳＲＳリソース構成情報を第１機器から受信するステップと、前記ＳＲＳリソース構成情報に基づいて、ＳＲＳ信号を前記第１機器に送信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、前記ＳＲＩに基づいてアップリンクデータ伝送を行うステップとを含む。
【００１７】
ここで、前記方法において、アップリンクデータ伝送に対応する伝送ランク識別子ＴＲＩを前記第１機器から受信するステップと、前記ＴＲＩを解析し、前記第１機器によって前記第２機器に対し特定したアップリンクデータ伝送の層数を取得するステップとをさらに含む。ＴＲＩは、アップリンクデータ伝送の層数を示す。
【００１８】
ここで、各アップリンクデータ伝送層と、前記ＳＲＩで指示される少なくとも１つのＳＲＳリソースとは、対応関係が存在する。
【００１９】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【００２０】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記方法において、前記第１機器から送信される前記ＬＳＩを受信するステップと、前記ＬＳＩを解析し、各アップリンクデータ伝送層と、前記Ｌ個のＳＲＳリソースのうちの少なくとも１つのＳＲＳリソースとの対応関係を取得するステップとをさらに含む。
【００２１】
ここで、各アップリンクデータ伝送層と、前記Ｌ個のＳＲＳリソースのうちの少なくとも１つのＳＲＳリソースとの対応関係は、ＳＲＩによって指示される。前記ＳＲＩに基づいてアップリンクデータ伝送を行うステップは、前記ＳＲＩを解析し、各アップリンクデータ伝送層と、前記Ｌ個のＳＲＳリソースのうちの少なくとも１つのＳＲＳリソースとの対応関係を取得するステップと、前記Ｌ個のＳＲＳリソースを用いて、対応するアップリンクデータ伝送層をそれぞれ送信するステップとを含む。
【００２２】
ここで、前記ＳＲＩで指示されるＳＲＳリソースの数Ｌと、アップリンクデータ伝送の層数またはコードワード数とは一致する。
【００２３】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００２４】
上記目的を達成するために、本開示の実施例は、第１機器に応用されるデータ伝送装置をさらに提供する。当該装置は、Ｋ個のサウンディング参照信号ＳＲＳリソースを指示するアップリンクのＳＲＳリソース構成情報を第２機器に送信する第１送信モジュールと、前記第２機器から前記ＳＲＳリソース構成情報に基づいて送信されるＳＲＳ信号を受信する第１受信モジュールと、前記Ｋ個のＳＲＳリソースのうちのＬ（１以上の整数であり、Ｌ≦Ｋ）個のＳＲＳリソースを指示するＳＲＳリソース指示情報ＳＲＩを特定する第１特定モジュールと、前記ＳＲＩを前記第２機器に送信する第２送信モジュールとを含む。
【００２５】
ここで、前記装置は、前記第２機器のアップリンクデータ伝送に対応する伝送ランク識別子ＴＲＩを特定する第２特定モジュールと、前記ＴＲＩを前記第２機器に送信する第３送信モジュールとをさらに含む。ＴＲＩは、アップリンクデータ伝送の層数を示す。
【００２６】
ここで、各アップリンクデータ伝送層と、前記ＳＲＩで指示される少なくとも１つのＳＲＳリソースとは、対応関係が存在する。
【００２７】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【００２８】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記装置は、前記ＬＳＩを前記第２機器に送信する第４送信モジュールをさらに含む。
【００２９】
ここで、各アップリンクデータ伝送層と、前記Ｌ個のＳＲＳリソースのうちの少なくとも１つのＳＲＳリソースとの対応関係は、ＳＲＩによって指示される。
【００３０】
ここで、前記ＳＲＩで指示されるＳＲＳリソースの数Ｌと、アップリンクデータ伝送の層数またはコードワード数とは一致する。
【００３１】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００３２】
上記目的を達成するために、本開示の実施例は、第２機器に応用されるデータ伝送装置をさらに提供する。当該装置は、Ｋ個のサウンディング参照信号ＳＲＳリソースを指示するアップリンクのＳＲＳリソース構成情報を第１機器から受信する第２受信モジュールと、前記ＳＲＳリソース構成情報に基づいて、ＳＲＳ信号を前記第１機器に送信する第５送信モジュールと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信する第３受信モジュールと、前記ＳＲＩに基づいてアップリンクデータ伝送を行うアップリンクデータ伝送モジュールとを含む。
【００３３】
ここで、前記装置は、アップリンクデータ伝送に対応する伝送ランク識別子ＴＲＩを前記第１機器から受信する第４受信モジュールと、前記ＴＲＩを解析し、前記第１機器によって前記第２機器に対し特定したアップリンクデータ伝送の層数を取得する第１処理モジュールとをさらに含む。ＴＲＩは、アップリンクデータ伝送の層数を示す。
【００３４】
ここで、各アップリンクデータ伝送層と、前記ＳＲＩで指示される少なくとも１つのＳＲＳリソースとは、対応関係が存在する。
【００３５】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【００３６】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記装置は、前記第１機器から送信される前記ＬＳＩを受信する第５受信モジュールと、前記ＬＳＩを解析し、各アップリンクデータ伝送層と、前記Ｌ個のＳＲＳリソースのうちの少なくとも１つのＳＲＳリソースとの対応関係を取得する第２処理モジュールとをさらに含む。
【００３７】
ここで、各アップリンクデータ伝送層と、前記Ｌ個のＳＲＳリソースのうちの少なくとも１つのＳＲＳリソースとの対応関係は、ＳＲＩによって指示される。
前記アップリンクデータ伝送モジュールは、前記ＳＲＩを解析し、各アップリンクデータ伝送層と、前記Ｌ個のＳＲＳリソースのうちの少なくとも１つのＳＲＳリソースとの対応関係を取得する解析サブモジュールと、前記Ｌ個のＳＲＳリソースを用いて、対応するアップリンクデータ伝送層をそれぞれ送信する送信サブモジュールとを含む。
【００３８】
ここで、前記ＳＲＩで指示されるＳＲＳリソースの数Ｌと、アップリンクデータ伝送の層数またはコードワード数とは一致する。
【００３９】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００４０】
上記目的を達成するために、本開示の実施例は、メモリと、トランシーバと、プロセッサと、前記メモリに記憶されて前記プロセッサで実行可能なコンピュータプログラムを含むネットワーク側機器をさらに提供する。前記プロセッサが前記プログラムを実行すると、Ｋ個のサウンディング参照信号ＳＲＳリソースを指示するアップリンクのＳＲＳリソース構成情報を前記トランシーバによって第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを前記第２機器に送信するステップとを実現する。
【００４１】
上記目的を達成するために、本開示の実施例は、メモリと、トランシーバと、プロセッサと、前記メモリに記憶されて前記プロセッサで実行可能なコンピュータプログラムを含むユーザ機器をさらに提供する。前記プロセッサが前記プログラムを実行すると、Ｋ個のサウンディング参照信号ＳＲＳリソースを指示するアップリンクのＳＲＳリソース構成情報を第１機器から前記トランシーバによって受信するステップと、前記ＳＲＳリソース構成情報に基づいて、ＳＲＳ信号を前記第１機器に送信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、前記ＳＲＩに基づいてアップリンクデータ伝送を行うステップとを実現する。
【００４２】
上記目的を達成するために、本開示の実施例は、コンピュータプログラムが記憶されているコンピュータ読み取り可能な記憶媒体をさらに提供する。当該プログラムがプロセッサによって実行されると、Ｋ個のサウンディング参照信号ＳＲＳリソースを指示するアップリンクのＳＲＳリソース構成情報を第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを前記第２機器に送信するステップとが実現される。
【００４３】
上記目的を達成するために、本開示の実施例は、コンピュータプログラムが記憶されているコンピュータ読み取り可能な記憶媒体をさらに提供する。当該プログラムがプロセッサによって実行されると、Ｋ個のサウンディング参照信号ＳＲＳリソースを指示するアップリンクのＳＲＳリソース構成情報を第１機器から受信するステップと、前記ＳＲＳリソース構成情報に基づいて、ＳＲＳ信号を前記第１機器に送信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、前記ＳＲＩに基づいてアップリンクデータ伝送を行うステップとが実現される。
【発明の効果】
【００４４】
本開示の実施例のデータ伝送方法において、まず、第２機器に対し設定したＳＲＳリソース構成情報であって、Ｋ個のＳＲＳリソースを指示するＳＲＳリソース構成情報を第２機器に送信する。第２機器は、当該ＳＲＳリソース構成情報を受信すると、当該ＳＲＳリソース構成情報に基づいて、Ｋ個のＳＲＳリソースを介してＳＲＳを送信することができる。第１機器は、当該第２機器から送信されるＳＲＳを受信した後に、さらにＫ個のＳＲＳリソースのうちのＬ個のＳＲＳリソースを好適に選択し、当該Ｌ個のＳＲＳリソースを指示するＳＲＩを特定することができる。それから、当該第１機器は、当該ＳＲＩを当該第２機器に送信することにより、当該第２機器に対しそのアップリンクデータ伝送のＳＲＳリソースを通知する。このように、当該第２機器は、当該ＳＲＩを受信すると、好適に選択されたＬ個のＳＲＳリソースでアップリンクデータ伝送を行うことができる。よって、従来の方式では具体的なアップリンクデータ伝送実現プロセスが特定できないという問題を解決する。
【図面の簡単な説明】
【００４５】
【図１】本開示の実施例における第１機器に応用されるデータ伝送方法のフローチャートである。
【図２】本開示の実施例における第２機器に応用されるデータ伝送方法のフローチャートである。
【図３】図１に示す方法の装置の構造図である。
【図４】図２に示す方法の装置の構造図である。
【図５】本開示の実施例におけるネットワーク側機器の構造図である。
【図６】本開示の実施例におけるユーザ機器の構造図である。
【発明を実施するための形態】
【００４６】
本開示の解決しようとする技術課題、技術手段および利点をより明確にするために、以下、図面および具体的な実施例を通じて詳細に記載する。
【００４７】
本開示は、ＵＥが具体的なアップリンクデータ伝送実現プロセスが特定できないという従来の問題に対し、初期設定のＳＲＳリソースのうち、好適に選択されたＳＲＳリソースを使用するようにＵＥに指示することによって、アップリンクデータ伝送を実現するデータ伝送方法を提供する。
【００４８】
図１に示すように、本開示の実施例の第１機器に応用されるデータ伝送方法は、Ｋ個のサウンディング参照信号ＳＲＳリソースを指示するアップリンクのＳＲＳリソース構成情報を第２機器に送信するステップ１０１と、前記第２機器から前記ＳＲＳリソース構成情報に基づいて送信されるＳＲＳ信号を受信するステップ１０２と、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップ１０３と、前記ＳＲＩを前記第２機器に送信するステップ１０４とを含む。
【００４９】
以上のステップによって、第１機器は、ＴＲＰとして、まず、第２機器に対し設定したＳＲＳリソース構成情報であって、Ｋ個のＳＲＳリソースを指示するＳＲＳリソース構成情報を第２機器に送信する。第２機器は、当該ＳＲＳリソース構成情報を受信すると、当該ＳＲＳリソース構成情報に基づいて、Ｋ個のＳＲＳリソースを介してＳＲＳを送信することができる。第１機器は、当該第２機器から送信されるＳＲＳを受信した後に、さらにＫ個のＳＲＳリソースのうちのＬ個のＳＲＳリソースを好適に選択し、当該Ｌ個のＳＲＳリソースを指示するＳＲＩを特定することができる。それから、当該第１機器は、当該ＳＲＩを当該第２機器に送信することにより、当該第２機器に対しそのアップリンクデータ伝送のＳＲＳリソースを通知する。このように、当該第２機器は、当該ＳＲＩを受信すると、好適に選択されたＬ個のＳＲＳリソースでアップリンクデータ伝送を行うことができる。よって、従来の方式では具体的なアップリンクデータ伝送実現プロセスが特定できないという問題を解決する。
【００５０】
ここで、ステップ１０３において、当該第１機器は、Ｋ個のＳＲＳリソースの信号品質に対する測定に基づいて、Ｌ（１≦Ｌ≦Ｋ）個のＳＲＳリソースを選択し、ＳＲＩを特定する。具体的に、当該第１機器は、システムの所定方式に基づいてＬ個のＳＲＳリソースを選択し、例えば受信品質が最も高いＬ個のＳＲＳリソース（目標ＳＲＳリソース）を選択し、Ｌが１以上であることが好ましい。ここで、当該第１機器によって特定されるＳＲＩ値は、Ｌ個を含み、各ＳＲＩ値が１つの目標ＳＲＳリソースに対応する。
【００５１】
当該実施例において、ＳＲＩは、ダウンリンク制御情報ＤＣＩによって送信される。当該ＳＲＩの数が変数であることを考慮すると、ＤＣＩ有効負荷は、可変であり、または、ＳＲＩの最大数によって決められる一定値である。ＤＣＩで指示されるＳＲＩ値の実際数は、ＳＲＩ値の最大数以下である。ＤＣＩフィールドのうちの一部のＳＲＩ値は、（未指定であれば）保留可能である。別の可能性として、ＤＣＩのうちのＳＲＩ識別子は、一定のＳビットの情報フィールドであり、Ｓビットの情報フィールドの各状態は、ＳＲＳリソース群に関連付けられるようにハイレイヤシグナリングによって設定される。Ｓ＝２の場合、Ｓビットの情報フィールドの各状態とＳＲＳリソースの関連テーブルは、下記表１のように示される。
【００５２】
【表１】
2020523932.tif 000003
【００５３】
表１によると、第２機器は、ＤＣＩを受信してＳＲＩ識別子が「１」であると解析すると、第１機器が当該第２機器に対し好適に選択した目標ＳＲＳリソースが「ＳＲＳリソース０，ＳＲＳリソース１」であると分かる。
【００５４】
なお、第２機器は、アップリンクデータ伝送を行う際に、当該ＳＲＩを受信して第１機器によって特定される目標ＳＲＳリソースを把握するほか、アップリンクデータ伝送の層数を把握する必要もある。アップリンクデータ伝送の層数がシステムで予め定義されていない場合、第２機器は、そのアップリンクデータ伝送の層数を特定することができず、アップリンクデータ伝送を完成することができない。よって、上記実施例を基に、本開示の実施例のデータ伝送方法は、前記第２機器のアップリンクデータ伝送に対応する伝送ランク識別子ＴＲＩを特定するステップと、前記ＴＲＩを前記第２機器に送信するステップとをさらに含む。前記ＴＲＩは、アップリンクデータ伝送の層数を示す。
【００５５】
ここで、第１機器は、当該第２機器のアップリンクデータ伝送に対応するＴＲＩを特定し、ＴＲＩを当該第２機器に送信する。それによって、第２機器は、アップリンクデータ伝送の層数がシステムで予め定義されていない場合、第１機器によって特定されるアップリンクデータ伝送の層数を特定し、最終的なアップリンクデータ伝送を完成することができる。ここで、当該ＴＲＩは、ＳＲＩとともに当該第２機器に送信され、または、両者が別々に送信される。
【００５６】
また、第２機器によるアップリンクデータ伝送の完成を明確に指示するために、当該実施例において、各アップリンクデータ伝送層と、前記ＳＲＩで指示される少なくとも１つのＳＲＳリソースとは、対応関係が存在する。
【００５７】
このように、第２機器は、当該対応関係に基づいて、ＳＲＩで指示されるＳＲＳリソースによって、対応するアップリンクデータ伝送層を伝送することができる。
【００５８】
具体的に、各アップリンクデータ伝送層で用いられるアップリンクビームフォーミング行列と、前記アップリンクデータ伝送層に対応するＳＲＳリソースのアップリンクビームフォーミング行列とは一致する。
【００５９】
このように、第２機器は、好適に選択された目標ＳＲＳリソースに対応するアップリンクビームフォーミング行列から、目標ＳＲＳリソースのうちの少なくとも１つのＳＲＳリソースとアップリンクデータ伝送層との対応によって、各アップリンクデータ伝送層のアップリンクビームフォーミング行列を明確に把握することができる。アップリンクデータ伝送において、Ｌ個のＳＲＳリソースのアップリンクビームフォーミング行列によって、対応するアップリンクデータ伝送層を伝送する。
【００６０】
また、各アップリンクデータ伝送層で用いられるアンテナパネルは、当該アップリンクデータ伝送層に対応するＳＲＳリソースのアンテナパネルとは一致する。第２機器は、好適に選択された目標ＳＲＳリソースに対応するアンテナパネルから、目標ＳＲＳリソースとアップリンクデータ伝送層との対応によって、各アップリンクデータ伝送層のアンテナパネルを明確に把握することができる。アップリンクデータ伝送において、Ｌ個のＳＲＳリソースのアンテナパネルによって、対応するアップリンクデータ伝送層を伝送する。
【００６１】
選択可能に、当該実施例において、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記方法において、前記ＬＳＩを前記第２機器に送信するステップをさらに含む。
【００６２】
ここで、専用のＬＳＩによって、各アップリンクデータ伝送層とＬ個のＳＲＳリソースとの対応関係を指示し、当該ＬＳＩを第２機器に送信することによって当該第２機器に通知し、第２機器によってアップリンクデータ伝送を実現する。
【００６３】
なお、当該ＬＳＩで指示される各アップリンクデータ伝送層と目標ＳＲＳリソースとの対応関係は、各アップリンクデータ伝送層の指示であり、または、各コードワードの指示である。ここで、各コードワードは、チャネル符号化モジュールによって生成され、後に所定ルールに基づいて少なくとも１つのアップリンクデータ伝送層に分けられる。
【００６４】
ケース１：ＬＳＩは、各アップリンクデータ伝送層の指示である。例えば、ＬＳＩは、Ｒ個の変数の系列であり、Ｒがアップリンクデータ伝送の層数を示す。当該Ｒ個の変数のうちの各値は、Ｌ個のＳＲＩ値のうちの１つを示す。例として、仮にＴＲＰがｒａｎｋ＝２（Ｒ＝２）のデータ伝送をスケジューリングする。よって、ＬＳＩは、Ｒ＝２であり、すなわち２つの変数の系列であり、例えば［１  ２］である。１つ目の変数は、第１ＳＲＩで指示されるＳＲＳリソースのアンテナパネルおよび／またはアップリンクビームフォーミング行列で層−１を伝送し、第２ＳＲＩで指示されるＳＲＳリソースのアンテナパネルおよび／またはアップリンクビームフォーミング行列で層−２を伝送することを示す。これは、第１ＳＲＩで指示されるＳＲＳを送信するための同一アンテナパネルから第１アップリンクデータ伝送層を送信し、第２ＳＲＩで指示されるＳＲＳを伝送するための同一アンテナパネルから第２アップリンクデータ伝送層を送信することを第２機器に暗に知らせる。
【００６５】
ケース２：ＬＳＩは、各コードワードの指示である。例えば、ＬＳＩは、Ｃ個の変数の系列であり、Ｃがアップリンクデータ伝送のコードワード数である。当該Ｃ個の変数のそれぞれは、Ｌ個のＳＲＩ値のうちの１つを示す。例として、仮にＴＲＰがｒａｎｋ＝６（Ｒ＝６）のデータ伝送をスケジューリングする。６個のアップリンクデータ伝送層が２つのコードワードに属し、すなわちＣ＝２であり、２つのコードワードが６層にマッピングされ、各コードワードが３層にマッピングされる。よって、ＬＳＩは、Ｃ＝２であり、すなわち２つの変数の系列であり、例えば［１  ２］である。１つ目の変数は、第１ＳＲＩで指示されるＳＲＳリソースのアンテナパネルおよび／またはアップリンクビームフォーミング行列で１つ目のコードワードのすべての層を伝送し、第２ＳＲＩで指示されるＳＲＳリソースのアンテナパネルおよび／またはアップリンクビームフォーミング行列で２つ目のコードワードのすべての層を伝送することを示す。これは、第１ＳＲＩで指示されるＳＲＳを送信するための同一アンテナパネルから、１つ目のコードワードからマッピングされるすべてのアップリンクデータ伝送層を送信し、第２ＳＲＩで指示されるＳＲＳを伝送するための同一アンテナパネルから、２つ目のコードワードからマッピングされるすべてのアップリンクデータ伝送層を送信することを第２機器に暗に知らせる。
【００６６】
選択可能に、当該実施例において、各アップリンクデータ伝送層と前記Ｌ個のＳＲＳリソースのうちの少なくとも１つのＳＲＳリソースとの対応関係は、ＳＲＩによって指示される。
【００６７】
ここで、新規の識別子を追加する必要がなく、ＳＲＩによって、各アップリンクデータ伝送層とＬ個のＳＲＳリソースのうちの少なくとも１つのＳＲＳリソースとの対応関係も指示するため、情報の伝送を減少し、リソース利用率を向上させる。
【００６８】
ＳＲＩによって、各アップリンクデータ伝送層とＬ個のＳＲＳリソースのうちの少なくとも１つのＳＲＳリソースとの対応関係を指示する場合、具体的に、前記ＳＲＩで指示されるＳＲＳリソースの数Ｌと、アップリンクデータ伝送の層数またはコードワード数とは一致する。
【００６９】
上記のＬＳＩによる指示の具体的な実現に類似し、ケース３において、ＳＲＩで指示されるＳＲＳリソースの数Ｌとアップリンクデータ伝送の層数とは一致する場合、仮にＴＲＰがｒａｎｋ＝２のデータ伝送をスケジューリングする。この場合、ＳＲＩで指示されるＳＲＳリソースの数Ｌが２であり、第１ＳＲＩで指示されるＳＲＳリソースのアンテナパネルおよび／またはアップリンクビームフォーミング行列で層−１を伝送し、第２ＳＲＩで指示されるＳＲＳリソースのアンテナパネルおよび／またはアップリンクビームフォーミング行列で層−２を伝送する。これは、第１ＳＲＩで指示されるＳＲＳを送信するための同一アンテナパネルから第１アップリンクデータ伝送層を送信し、第２ＳＲＩで指示されるＳＲＳを伝送するための同一アンテナパネルから第２アップリンクデータ伝送層を送信することを第２機器に暗に知らせる。
【００７０】
ケース４：当該ＳＲＩで指示されるＳＲＳリソースの数Ｌとコードワード数とは一致する場合、仮にＴＲＰがｒａｎｋ＝６のデータ伝送をスケジューリングする。６個のアップリンクデータ伝送層が２つのコードワードに属し、コードワード数Ｄが２であり、２つのコードワードが６層にマッピングされ、各コードワードが３層にマッピングされる。よって、ＳＲＩで指示されるＳＲＳリソースの数Ｌが２であり、例えば［１  ２］である。１つ目の変数は、第１ＳＲＩで指示されるＳＲＳリソースのアンテナパネルおよび／またはアップリンクビームフォーミング行列で１つ目のコードワードのすべての層を伝送し、第２ＳＲＩで指示されるＳＲＳリソースのアンテナパネルおよび／またはアップリンクビームフォーミング行列で２つ目のコードワードのすべての層を伝送することを示す。これは、第１ＳＲＩで指示されるＳＲＳを送信するための同一アンテナパネルから、１つ目のコードワードからマッピングされるすべてのアップリンクデータ伝送層を送信し、第２ＳＲＩで指示されるＳＲＳを伝送するための同一アンテナパネルから、２つ目のコードワードからマッピングされるすべてのアップリンクデータ伝送層を送信することを第２機器に暗に知らせる。
【００７１】
また、ＳＲＩによってより明確に指示して特定することを達成するために、ＳＲＩで指示されるＳＲＳリソースとアップリンクデータ伝送層との対応関係として、より具体的に、前記ＳＲＩで指示される第ｋ（整数であってかつ１≦ｋ≦Ｌ）個のＳＲＳリソースと、アップリンクデータ伝送の第ｋ層または第ｋ個のコードワードとは対応関係が存在する。
【００７２】
ここで、ｋ＝１の場合、ＳＲＩで指示される１つ目のＳＲＳリソースと、アップリンクデータ伝送の１つ目の層または１つ目のコードワードとは対応関係が存在する。すなわち、第２機器のアップリンクデータ伝送において、第１ＳＲＳリソース（１つ目のＳＲＳリソース）によって、第１アップリンクデータ伝送層（アップリンクデータ伝送の１つ目の層）を伝送し、または、第１ＳＲＳリソース（１つ目のＳＲＳリソース）によって、第１コードワード（１つ目のコードワード）のすべてのアップリンクデータ伝送層を伝送する。
【００７３】
また、当該実施例において、第１機器は、セルラー基地局、マクロ基地局またはＷＩＦＩルータなどのネットワーク側機器であり、第２機器は、携帯電話、タブレットまたはパソコンなどのユーザ機器であり、ここでは枚挙しない。
【００７４】
以上の記載をまとめると、本開示の実施例のデータ伝送方法において、まず、第２機器に対し設定したＳＲＳリソース構成情報であって、Ｋ個のＳＲＳリソースを指示するＳＲＳリソース構成情報を第２機器に送信する。第２機器は、当該ＳＲＳリソース構成情報を受信すると、当該ＳＲＳリソース構成情報に基づいて、Ｋ個のＳＲＳリソースを介してＳＲＳを送信することができる。第１機器は、当該第２機器から送信されるＳＲＳ信号を受信した後に、ＳＲＳ信号に基づいて、さらにＫ個のＳＲＳリソースのうちのＬ個のＳＲＳリソースを好適に選択し、当該Ｌ個のＳＲＳリソースを指示するＳＲＩを特定することができる。それから、当該第１機器は、当該ＳＲＩを当該第２機器に送信し、当該第２機器に対しそのアップリンクデータ伝送のＳＲＳリソースを通知する。このように、当該第２機器は、当該ＳＲＩを受信すると、好適に選択されたＬ個のＳＲＳリソースでアップリンクデータ伝送を完成することができる。よって、従来の方式では具体的なアップリンクデータ伝送実現プロセスが特定できないという問題を解決する。
【００７５】
図２に示すように、本開示の実施例の第２機器に応用されるデータ伝送方法は、Ｋ個のサウンディング参照信号ＳＲＳリソースを指示するアップリンクのＳＲＳリソース構成情報を第１機器から受信するステップ２０１と、前記ＳＲＳリソース構成情報に基づいて、ＳＲＳ信号を前記第１機器に送信するステップ２０２と、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップ２０３と、前記ＳＲＩに基づいてアップリンクデータ伝送を行うステップ２０４とを含む。
【００７６】
ステップ２０１〜ステップ２０４によれば、第２機器は、まず、第１機器から第２機器に対し設定したＳＲＳリソース構成情報であって、Ｋ個のＳＲＳリソースを指示するＳＲＳリソース構成情報を受信した後に、当該ＳＲＳリソース構成情報に基づいて、Ｋ個のＳＲＳリソースを介してＳＲＳを第１機器に送信する。よって、第１機器は、当該ＳＲＳ信号を受信してから、さらにそのうちからＬ個のＳＲＳリソースを好適に選択し、Ｌ個のＳＲＳリソースを指示するＳＲＩを特定して当該第２機器に送信する。当該第２機器は、当該ＳＲＩを受信すると、好適に選択されたＬ個のＳＲＳリソースでアップリンクデータ伝送を完成することができる。よって、従来の方式では具体的なアップリンクデータ伝送実現プロセスが特定できないという問題を解決する。
【００７７】
アップリンクデータ伝送の層数がシステムで予め定義されていない場合、第１機器から特定されて送信される伝送ランク識別子ＴＲＩに対応し、当該実施例の方法において、アップリンクデータ伝送に対応する伝送ランク識別子ＴＲＩを前記第１機器から受信するステップと、前記ＴＲＩを解析し、前記第１機器によって前記第２機器に対し特定したアップリンクデータ伝送の層数を取得するステップとをさらに含み、ＴＲＩは、アップリンクデータ伝送の層数を示す。
【００７８】
ここで、第１機器から特定されて送信される当該第２機器のアップリンクデータ伝送に対応するＴＲＩを受信することによって、第２機器は、アップリンクデータ伝送の層数がシステムで予め定義されていない場合、ＴＲＩを解析することによって、第１機器から特定されるアップリンクデータ伝送の層数を把握し、最終的なアップリンクデータ伝送を完成することができる。
【００７９】
また、第２機器によるアップリンクデータ伝送の完成を明確に指示するために、当該実施例において、各アップリンクデータ伝送層と、前記ＳＲＩで指示される少なくとも１つのＳＲＳリソースとは、対応関係が存在する。
【００８０】
具体的に、各アップリンクデータ伝送層で用いられるアップリンクビームフォーミング行列と、前記アップリンクデータ伝送層に対応するＳＲＳリソースのアップリンクビームフォーミング行列とは一致する。
【００８１】
選択可能に、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記方法において、前記第１機器から送信される前記ＬＳＩを受信するステップと、前記ＬＳＩを解析し、各アップリンクデータ伝送層と、前記Ｌ個のＳＲＳリソースのうちの少なくとも１つのＳＲＳリソースとの対応関係を取得するステップとをさらに含む。
【００８２】
ここで、第１機器から専用のＬＳＩによって、各アップリンクデータ伝送層とＬ個のＳＲＳリソースのうちの少なくとも１つのＳＲＳリソースとの対応関係を指示する場合、第２機器は、当該ＬＳＩを受信して解析することによって、Ｌ個のＳＲＳリソースのうちの少なくとも１つのＳＲＳリソースと各アップリンクデータ伝送層の対応関係を取得し、アップリンクデータ伝送を実現する。ここで、上記実施例と同様に、当該ＬＳＩで指示される各アップリンクデータ伝送層と目標ＳＲＳリソースのうちの少なくとも１つのＳＲＳリソースとの対応関係は、各アップリンクデータ伝送層の指示であり、または各コードワードの指示である。ここでは繰り返して記載しない。
【００８３】
選択可能に、当該実施例において、各アップリンクデータ伝送層と、前記Ｌ個のＳＲＳリソースのうちの少なくとも１つのＳＲＳリソースとの対応関係は、ＳＲＩによって指示される。前記ステップ２０４において、前記ＳＲＩを解析し、各アップリンクデータ伝送層と、前記Ｌ個のＳＲＳリソースのうちの少なくとも１つのＳＲＳリソースとの対応関係を取得するステップと、前記Ｌ個のＳＲＳリソースを用いて、対応するアップリンクデータ伝送層をそれぞれ送信するステップとを含む。
【００８４】
ここで、新規の識別子の追加がないため、第１機器がＳＲＩによって、Ｌ個のＳＲＳリソースのうちの少なくとも１つのＳＲＳリソースと各アップリンクデータ伝送層の対応関係も指示すると、第２機器は、ＳＲＩを解析することによって、Ｌ個のＳＲＳリソースのうちの少なくとも１つのＳＲＳリソースと各アップリンクデータ伝送層の対応関係を取得し、Ｌ個のＳＲＳリソースを用いて、対応するアップリンクデータ伝送層をそれぞれ送信することができる。
【００８５】
Ｌ個のＳＲＳリソースのうちの少なくとも１つのＳＲＳリソースと各アップリンクデータ伝送層の対応関係を、ＳＲＩによって指示する場合、具体的に、前記ＳＲＩで指示されるＳＲＳリソースの数Ｌと、アップリンクデータ伝送の層数またはコードワード数とは一致する。
【００８６】
さらに、具体的に、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００８７】
当該実施例の方法において、まず、第１機器から第２機器に対し設定したＳＲＳリソース構成情報であって、Ｋ個のＳＲＳリソースを指示するＳＲＳリソース構成情報を受信してから、当該ＳＲＳリソース構成情報に基づいて、Ｋ個のＳＲＳリソースを介してＳＲＳを第１機器に送信する。それによって、第１機器は、当該ＳＲＳ信号を受信してから、さらにそのうちからＬ個のＳＲＳリソースを好適に選択し、Ｌ個のＳＲＳリソースを指示するＳＲＩを特定して当該第２機器に送信する。当該第２機器は、当該ＳＲＩを受信すると、好適に選択されたＬ個のＳＲＳリソースでアップリンクデータ伝送を完成することができる。よって、従来の方式では具体的なアップリンクデータ伝送実現プロセスが特定できないという問題を解決する。
【００８８】
なお、当該実施例の第２機器に応用されるデータ伝送方法は、上記実施例の第１機器に応用されるデータ伝送方法とは連携するため、上記の第１機器に応用されるデータ伝送方法の実施例の実現方式が当該方法に適用し、同一の技術効果を奏することもできるため、ここでは繰り返して記載しない。
【００８９】
図３に示すように、本開示の実施例の第１機器に応用されるデータ伝送装置は、Ｋ個のサウンディング参照信号ＳＲＳリソースを指示するアップリンクのＳＲＳリソース構成情報を第２機器に送信する第１送信モジュール３０１と、前記第２機器から前記ＳＲＳリソース構成情報に基づいて送信されるＳＲＳ信号を受信する第１受信モジュール３０２と、前記Ｋ個のＳＲＳリソースのうちのＬ（１以上の整数であり、Ｌ≦Ｋ）個のＳＲＳリソースを指示するＳＲＳリソース指示情報ＳＲＩを特定する第１特定モジュール３０３と、前記ＳＲＩを前記第２機器に送信する第２送信モジュール３０４とを含む。
【００９０】
ここで、前記装置は、前記第２機器のアップリンクデータ伝送に対応する伝送ランク識別子ＴＲＩを特定する第２特定モジュールと、前記ＴＲＩを前記第２機器に送信する第３送信モジュールとをさらに含む。前記ＴＲＩは、アップリンクデータ伝送の層数を示す。
【００９１】
ここで、各アップリンクデータ伝送層と、前記ＳＲＩで指示される少なくとも１つのＳＲＳリソースとは、対応関係が存在する。
【００９２】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【００９３】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記装置は、前記ＬＳＩを前記第２機器に送信する第４送信モジュールをさらに含む。
【００９４】
ここで、各アップリンクデータ伝送層と、前記Ｌ個のＳＲＳリソースのうちの少なくとも１つのＳＲＳリソースとの対応関係は、ＳＲＩによって指示される。
【００９５】
ここで、前記ＳＲＩで指示されるＳＲＳリソースの数Ｌと、アップリンクデータ伝送の層数またはコードワード数とは一致する。
【００９６】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【００９７】
本開示の実施例のデータ伝送装置は、まず、第２機器に対し設定したＳＲＳリソース構成情報であって、Ｋ個のＳＲＳリソースを指示するＳＲＳリソース構成情報を第２機器に送信する。第２機器は、当該ＳＲＳリソース構成情報を受信すると、当該ＳＲＳリソース構成情報に基づいて、Ｋ個のＳＲＳリソースを介してＳＲＳを送信することができる。第１機器は、当該第２機器から送信されるＳＲＳ信号を受信してから、さらにＬ個のＳＲＳリソースを好適に選択し、Ｌ個のＳＲＳリソースを指示するＳＲＩを特定することができる。それから、当該第１機器は、当該ＳＲＩを当該第２機器に送信し、当該第２機器に対しそのアップリンクデータ伝送のＳＲＳリソースを通知する。このように、当該第２機器は、当該ＳＲＩを受信すると、好適に選択されたＬ個のＳＲＳリソースでアップリンクデータ伝送を完成することができる。よって、従来の方式では具体的なアップリンクデータ伝送実現プロセスが特定できないという問題を解決する。
【００９８】
なお、当該装置は、上記第１機器に応用されるデータ伝送方法を応用した装置であり、上記第１機器に応用されるデータ伝送方法の実施例の実現方式が当該装置に適用し、同一の技術効果を奏することもできる。
【００９９】
図４に示すように、本開示の実施例の第２機器に応用されるデータ伝送装置は、Ｋ個のサウンディング参照信号ＳＲＳリソースを指示するアップリンクのＳＲＳリソース構成情報を第１機器から受信する第２受信モジュール４０１と、前記ＳＲＳリソース構成情報に基づいて、ＳＲＳ信号を前記第１機器に送信する第５送信モジュール４０２と、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信する第３受信モジュール４０３と、前記ＳＲＩに基づいてアップリンクデータ伝送を行うアップリンクデータ伝送モジュール４０４とを含む。
【０１００】
ここで、前記装置は、アップリンクデータ伝送に対応する伝送ランク識別子ＴＲＩを前記第１機器から受信する第４受信モジュールと、前記ＴＲＩを解析し、前記第１機器によって前記第２機器に対し特定したアップリンクデータ伝送の層数を取得する第１処理モジュールとをさらに含む。前記ＴＲＩは、アップリンクデータ伝送の層数を示す。
【０１０１】
ここで、各アップリンクデータ伝送層と、前記ＳＲＩで指示される少なくとも１つのＳＲＳリソースとは、対応関係が存在する。
【０１０２】
ここで、各アップリンクデータ伝送層で用いられるアップリンクビームフォーミング行列と、前記アップリンクデータ伝送層に対応するＳＲＳリソースのアップリンクビームフォーミング行列とは一致する。
【０１０３】
ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。前記装置は、前記第１機器から送信される前記ＬＳＩを受信する第５受信モジュールと、前記ＬＳＩを解析し、各アップリンクデータ伝送層と、前記Ｌ個のＳＲＳリソースのうちの少なくとも１つのＳＲＳリソースとの対応関係を取得する第２処理モジュールとをさらに含む。
【０１０４】
ここで、各アップリンクデータ伝送層と、前記Ｌ個のＳＲＳリソースのうちの少なくとも１つのＳＲＳリソースとの対応関係は、ＳＲＩによって指示される。前記アップリンクデータ伝送モジュールは、前記ＳＲＩを解析し、各アップリンクデータ伝送層と、前記Ｌ個のＳＲＳリソースのうちの少なくとも１つのＳＲＳリソースとの対応関係を取得する解析サブモジュールと、前記Ｌ個のＳＲＳリソースを用いて、対応するアップリンクデータ伝送層をそれぞれ送信する送信サブモジュールとを含む。
【０１０５】
ここで、前記ＳＲＩで指示されるＳＲＳリソースの数Ｌと、アップリンクデータ伝送の層数またはコードワード数とは一致する。
【０１０６】
ここで、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【０１０７】
当該実施例の装置は、まず、第１機器から第２機器に対し設定したＳＲＳリソース構成情報であって、Ｋ個のＳＲＳリソースを指示するＳＲＳリソース構成情報を受信してから、当該ＳＲＳリソース構成情報に基づいて、Ｋ個のＳＲＳリソースを介してＳＲＳを第１機器に送信する。それによって、第１機器は、当該ＳＲＳ信号を受信してから、さらにＬ個のＳＲＳリソースを好適に選択し、Ｌ個のＳＲＳリソースを指示するＳＲＩを特定して当該第２機器に送信する。当該第２機器は、当該ＳＲＩを受信すると、好適に選択されたＬ個のＳＲＳリソースでアップリンクデータ伝送を完成することができる。よって、従来の方式では具体的なアップリンクデータ伝送実現プロセスが特定できないという問題を解決する。
【０１０８】
なお、当該装置は、上記第２機器に応用されるデータ伝送方法を応用した装置であり、上記データ伝送方法の実施例の実現方式が当該装置に適用し、同一の技術効果を奏することもできる。
【０１０９】
本開示の別の実施例は、コンピュータプログラムが記憶されているコンピュータ読み取り可能な記憶媒体をさらに提供する。当該プログラムがプロセッサによって実行されると、Ｋ個のサウンディング参照信号ＳＲＳリソースを指示するアップリンクのＳＲＳリソース構成情報を第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを前記第２機器に送信するステップとが実現される。
【０１１０】
選択可能に、当該プログラムがプロセッサによって実行されると、前記第２機器のアップリンクデータ伝送に対応する伝送ランク識別子ＴＲＩを特定するステップと、前記ＴＲＩを前記第２機器に送信するステップとがさらに実現される。前記ＴＲＩは、アップリンクデータ伝送の層数を示す。
【０１１１】
選択可能に、各アップリンクデータ伝送層と、前記ＳＲＩで指示される少なくとも１つのＳＲＳリソースとは、対応関係が存在する。
【０１１２】
選択可能に、各アップリンクデータ伝送層で用いられるアップリンクビームフォーミング行列と、前記アップリンクデータ伝送層に対応するＳＲＳリソースのアップリンクビームフォーミング行列とは一致する。
【０１１３】
選択可能に、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。当該プログラムがプロセッサによって実行されると、前記ＬＳＩを前記第２機器に送信するステップがさらに実現される。
【０１１４】
選択可能に、各アップリンクデータ伝送層と、前記Ｌ個のＳＲＳリソースのうちの少なくとも１つのＳＲＳリソースとの対応関係は、ＳＲＩによって指示される。
【０１１５】
選択可能に、前記ＳＲＩで指示されるＳＲＳリソースの数Ｌと、アップリンクデータ伝送の層数またはコードワード数とは一致する。
【０１１６】
選択可能に、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【０１１７】
コンピュータ読み取り可能な媒体は、永久的媒体や非永久的媒体、リムーバブル媒体やノンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１１８】
本開示の別の実施例は、コンピュータプログラムが記憶されているコンピュータ読み取り可能な記憶媒体をさらに提供する。当該プログラムがプロセッサによって実行されると、Ｋ個のサウンディング参照信号ＳＲＳリソースを指示するアップリンクのＳＲＳリソース構成情報を第１機器から受信するステップと、前記ＳＲＳリソース構成情報に基づいて、ＳＲＳ信号を前記第１機器に送信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、前記ＳＲＩに基づいてアップリンクデータ伝送を行うステップとが実現される。
【０１１９】
選択可能に、当該プログラムがプロセッサによって実行されると、アップリンクデータ伝送の層数を示し、アップリンクデータ伝送に対応する伝送ランク識別子ＴＲＩを前記第１機器から受信するステップと、前記ＴＲＩを解析し、前記第１機器によって前記第２機器に対し特定したアップリンクデータ伝送の層数を取得するステップとがさらに実現される。
【０１２０】
選択可能に、各アップリンクデータ伝送層と、前記ＳＲＩで指示される少なくとも１つのＳＲＳリソースとは、対応関係が存在する。
【０１２１】
選択可能に、各アップリンクデータ伝送層で用いられるアップリンクビームフォーミング行列と、前記アップリンクデータ伝送層に対応するＳＲＳリソースのアップリンクビームフォーミング行列とは一致する。
【０１２２】
選択可能に、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。当該プログラムがプロセッサによって実行されると、前記第１機器から送信される前記ＬＳＩを受信するステップと、前記ＬＳＩを解析し、各アップリンクデータ伝送層と、前記Ｌ個のＳＲＳリソースのうちの少なくとも１つのＳＲＳリソースとの対応関係を取得するステップとがさらに実現される。
【０１２３】
選択可能に、各アップリンクデータ伝送層と、前記Ｌ個のＳＲＳリソースのうちの少なくとも１つのＳＲＳリソースとの対応関係は、ＳＲＩによって指示される。当該プログラムがプロセッサによって実行されると、前記ＳＲＩを解析し、各アップリンクデータ伝送層と、前記Ｌ個のＳＲＳリソースのうちの少なくとも１つのＳＲＳリソースとの対応関係を取得するステップと、前記Ｌ個のＳＲＳリソースを用いて、対応するアップリンクデータ伝送層をそれぞれ送信するステップとがさらに実現される。
【０１２４】
選択可能に、前記ＳＲＩで指示されるＳＲＳリソースの数Ｌと、アップリンクデータ伝送の層数またはコードワード数とは一致する。
【０１２５】
選択可能に、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【０１２６】
コンピュータ読み取り可能な媒体は、永久的媒体や非永久的媒体、リムーバブル媒体やノンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１２７】
図５に示すように、本開示の実施例は、メモリ５２０と、トランシーバ５１０と、プロセッサ５００と、前記メモリ５２０に記憶されて前記プロセッサ５００で実行可能なコンピュータプログラムを含むネットワーク側機器をさらに提供する。前記プロセッサ５００が前記プログラムを実行すると、Ｋ個のサウンディング参照信号ＳＲＳリソースを指示するアップリンクのＳＲＳリソース構成情報を前記トランシーバ５１０によって第２機器に送信するステップと、前記第２機器から前記ＳＲＳリソース構成情報に基づいて送信されるＳＲＳ信号を受信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、前記ＳＲＩを前記第２機器に送信するステップとを実現する。
【０１２８】
トランシーバ５１０は、プロセッサ５００による制御でデータを送受信する。
【０１２９】
選択可能に、プロセッサ５００は、さらに、アップリンクデータ伝送の層数を示し、前記第２機器のアップリンクデータ伝送に対応する伝送ランク識別子ＴＲＩを特定するステップと、前記ＴＲＩを前記第２機器に送信するステップとを実現する。
【０１３０】
選択可能に、各アップリンクデータ伝送層と、前記ＳＲＩで指示される少なくとも１つのＳＲＳリソースとは、対応関係が存在する。
【０１３１】
選択可能に、各アップリンクデータ伝送層で用いられるアップリンクビームフォーミング行列と、前記アップリンクデータ伝送層に対応するＳＲＳリソースのアップリンクビームフォーミング行列とは一致する。
【０１３２】
選択可能に、ここで、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。プロセッサ５００は、さらに、前記ＬＳＩを前記第２機器に送信するステップをさらに実現する。
【０１３３】
選択可能に、各アップリンクデータ伝送層と、前記Ｌ個のＳＲＳリソースのうちの少なくとも１つのＳＲＳリソースとの対応関係は、ＳＲＩによって指示される。
【０１３４】
選択可能に、前記ＳＲＩで指示されるＳＲＳリソースの数Ｌと、アップリンクデータ伝送の層数またはコードワード数とは一致する。
【０１３５】
選択可能に、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【０１３６】
ここで、図５において、バスアーキテクチャは、任意数の相互接続するバスとブリッジを含み、具体的に、プロセッサ５００をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースによりインタフェースが提供される。トランシーバ５１０は、複数の受信機および送信機など、複数の部品であってもよく、伝送媒体でほかの各種類の装置と通信するユニットとして提供される。プロセッサ５００は、バスアーキテクチャと通常の処理を管理する。メモリ５２０は、プロセッサ５００による操作実行に使用されるデータを記憶できる。
【０１３７】
図６に示すように、本開示の実施例は、メモリ６２０と、トランシーバ６１０と、プロセッサ６００と、前記メモリ６２０に記憶されて前記プロセッサ６００で実行可能なコンピュータプログラムを含むユーザ機器をさらに提供する。前記プロセッサ６００が前記プログラムを実行すると、Ｋ個のサウンディング参照信号ＳＲＳリソースを指示するアップリンクのＳＲＳリソース構成情報を第１機器から前記トランシーバ６１０によって受信するステップと、前記ＳＲＳリソース構成情報に基づいて、ＳＲＳ信号を前記第１機器に送信するステップと、前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、前記ＳＲＩに基づいてアップリンクデータ伝送を行うステップとを実現する。
【０１３８】
トランシーバ６１０は、プロセッサ６００による制御でデータを送受信する。
【０１３９】
選択可能に、プロセッサ６００は、さらに、アップリンクデータ伝送の層数を示し、アップリンクデータ伝送に対応する伝送ランク識別子ＴＲＩを前記第１機器から受信するステップと、前記ＴＲＩを解析し、前記第１機器によって前記第２機器に対し特定したアップリンクデータ伝送の層数を取得するステップとを実現する。
【０１４０】
選択可能に、各アップリンクデータ伝送層と、前記ＳＲＩで指示される少なくとも１つのＳＲＳリソースとは、対応関係が存在する。
【０１４１】
選択可能に、各アップリンクデータ伝送層で用いられるアップリンクビームフォーミング行列と、前記アップリンクデータ伝送層に対応するＳＲＳリソースのアップリンクビームフォーミング行列とは一致する。
【０１４２】
選択可能に、各アップリンクデータ伝送層と、前記Ｌ個のＳＲＳリソースのうちの少なくとも１つのＳＲＳリソースとの対応関係は、ＳＲＩマッピング識別子ＬＳＩによって指示される。プロセッサ６００は、さらに、前記第１機器から送信される前記ＬＳＩを受信するステップと、前記ＬＳＩを解析し、各アップリンクデータ伝送層と、前記Ｌ個のＳＲＳリソースのうちの少なくとも１つのＳＲＳリソースとの対応関係を取得するステップとを実現する。
【０１４３】
選択可能に、各アップリンクデータ伝送層と、前記Ｌ個のＳＲＳリソースのうちの少なくとも１つのＳＲＳリソースとの対応関係は、ＳＲＩによって指示される。プロセッサ６００は、さらに、前記ＳＲＩを解析し、各アップリンクデータ伝送層と、前記Ｌ個のＳＲＳリソースのうちの少なくとも１つのＳＲＳリソースとの対応関係を取得するステップと、前記Ｌ個のＳＲＳリソースを用いて、対応するアップリンクデータ伝送層をそれぞれ送信するステップとを実現する。
【０１４４】
選択可能に、前記ＳＲＩで指示されるＳＲＳリソースの数Ｌと、アップリンクデータ伝送の層数またはコードワード数とは一致する。
【０１４５】
選択可能に、前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する。
【０１４６】
ここで、図６において、バスアーキテクチャは、任意数の相互接続するバスとブリッジを含み、具体的に、プロセッサ６００をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースによりインタフェースが提供される。トランシーバ６１０は、複数の受信機および送信機など、複数の部品であってもよく、伝送媒体でほかの各種類の装置と通信するユニットとして提供される。ユーザ機器によっては、ユーザインタフェース６３０は、内部接続や外部接続する機器のインタフェースであってもよい。接続する機器は、キーパッド、ディスプレイ、スピーカ、マイクロフォン、ジョイスティックなどを含むが、それらに限られない。
【０１４７】
プロセッサ６００は、バスアーキテクチャと通常の処理を管理する。メモリ６２０は、プロセッサ６００による操作実行に使用されるデータを記憶できる。
【０１４８】
さらに、この明細書に記載される多くの機能的部材は、その実現方式の独立性を強調するために、モジュールと称される。
【０１４９】
本開示の実施例において、モジュールは、各種類のプロセッサによって実行されるよう、ソフトウェアによって実現される。たとえば、ある標識される実行可能なコードモジュールは、コンピュータ指令の１つまたは複数の物理または論理ブロックを含み、たとえば対象、プロセスまたは関数として構築される。にもかかわらず、標識されるモジュールの実行可能なコードは、物理的に集まる必要がなく、異なる位置に記憶される異なる指令を含んでもよい。これらの指令が論理的に一体化すると、モジュールを構成して当該モジュールの所定の目的を実現する。
【０１５０】
実際に、実行可能なコードモジュールは、１つまたは複数の指令であり、複数の異なるコードセグメントや異なるプログラムに分布したり、複数の記憶装置を跨いで分布したりする。同様に、オペレーションデータは、モジュール内で識別され、あらゆる適切な形式で実現され、あらゆる適切な種類のデータ構造に組織される。前記オペレーションデータは、単一のデータセットとして集められたり、異なる位置に分布したり（異なる記憶装置に分布することを含む）し、少なくとも部分的に単に電子信号としてシステムまたはネットワークに存在する。
【０１５１】
モジュールは、ソフトウェアを利用して実現できる場合、関連のハードウェア工程のレベルを考慮し、ソフトウェアで実現されるモジュールのコストを考慮しない場合、当業者が対応するハードウェア回路を構築して対応する機能を実現する。前記ハードウェア回路は、通常のＶＬＳＩ回路またはゲートアレイおよび論理チップ、トランジスタなどの関連半導体またはほかの分離素子を含む。モジュールは、ＦＰＧＡ、ＰＡＬ、ＰＬＤなどのプログラマブルハードウェア機器によって実現されてもよい。
【０１５２】
上記の例示的な実施例は、図面を参照して記載される。本開示の精神や教示を逸脱することなく多くの異なる形態や実施例は、ありうる。したがって、本開示は、ここで言及されている実施例に制限されるように構築されるべきではない。より適切に言うと、これらの例示的な実施例は、本開示を最適で完全なものにし、本開示の範囲を当業者に伝えるために提供される。これらの図面において、組み合わせ部品のサイズおよび関連サイズは、明確に示すために誇張される可能性もある。ここに使用される用語は、単に特定の例示的な実施例を記載する目的に基づくものであり、限定をするつもりはない。ここに使用されている用語は、明細書で明確に指摘しない限り、単数形式の「１」、「１つ」および「当該」は、複数の形式も含むことを意図する。さらに、「含む」および／または「包括」などの用語は、本明細書で用いられる場合、記載される構成、整数、ステップ、操作、構成部品および／または組み合わせ部品の存在を示し、１つまたは複数のほかの構成、整数、ステップ、操作、構成部品および／または組み合わせ部品の存在または増加を除外しない。別途指摘しない限り、記載の際に、１つの値の範囲は、当該範囲の上限、下限およびその間の任意のサブ範囲を含む。
【０１５３】
以上の記載は、本開示の好適な実施形態である。なお、当業者にとって、本開示に記載した原理を逸脱することなくいくつかの改良や修飾を行うこともできる。これらの改良や修飾も、本開示の保護範囲として見なされるべきである。
【図１】
2020523932.tif 000004
【図２】
2020523932.tif 000005
【図３】
2020523932.tif 000006
【図４】
2020523932.tif 000007
【図５】
2020523932.tif 000008
【図６】
2020523932.tif 000009
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
第１機器に応用されるデータ伝送方法において、
Ｋ個のサウンディング参照信号ＳＲＳリソースを指示するアップリンクのＳＲＳリソース構成情報を第２機器に送信するステップと、
前記第２機器から前記ＳＲＳリソース構成情報に基づいて送信されるＳＲＳ信号を受信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを特定するステップと、
前記ＳＲＩを前記第２機器に送信するステップとを含む、データ伝送方法。
【請求項２】
アップリンクデータ伝送の層数を示し、前記第２機器のアップリンクデータ伝送に対応する伝送ランク識別子ＴＲＩを特定するステップと、
前記ＴＲＩを前記第２機器に送信するステップとをさらに含む、請求項１に記載のデータ伝送方法。
【請求項３】
各アップリンクデータ伝送層と、前記ＳＲＩで指示される少なくとも１つのＳＲＳリソースとは、対応関係が存在する、請求項２に記載のデータ伝送方法。
【請求項４】
各アップリンクデータ伝送層で用いられるアップリンクビームフォーミング行列と、前記アップリンクデータ伝送層に対応するＳＲＳリソースのアップリンクビームフォーミング行列とは一致する、請求項３に記載のデータ伝送方法。
【請求項５】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記ＬＳＩを前記第２機器に送信するステップをさらに含み、
又は
各アップリンクデータ伝送層と、前記Ｌ個のＳＲＳリソースのうちの少なくとも１つのＳＲＳリソースとの対応関係は、ＳＲＩによって指示される
請求項３に記載のデータ伝送方法。
【請求項６】
前記ＳＲＩで指示されるＳＲＳリソースの数Ｌと、アップリンクデータ伝送の層数またはコードワード数とは一致し、
及び／又は
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する
請求項５に記載のデータ伝送方法。
【請求項７】
第２機器に応用されるデータ伝送方法において、
Ｋ個のサウンディング参照信号ＳＲＳリソースを指示するアップリンクのＳＲＳリソース構成情報を第１機器から受信するステップと、
前記ＳＲＳリソース構成情報に基づいて、ＳＲＳ信号を前記第１機器に送信するステップと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信するステップと、
前記ＳＲＩに基づいてアップリンクデータ伝送を行うステップとを含む、データ伝送方法。
【請求項８】
アップリンクデータ伝送の層数を示し、アップリンクデータ伝送に対応する伝送ランク識別子ＴＲＩを前記第１機器から受信するステップと、
前記ＴＲＩを解析し、前記第１機器によって前記第２機器に対し特定したアップリンクデータ伝送の層数を取得するステップとをさらに含む、請求項７に記載のデータ伝送方法。
【請求項９】
各アップリンクデータ伝送層と、前記ＳＲＩで指示される少なくとも１つのＳＲＳリソースとは、対応関係が存在する、請求項８に記載のデータ伝送方法。
【請求項１０】
各アップリンクデータ伝送層で用いられるアップリンクビームフォーミング行列と、前記アップリンクデータ伝送層に対応するＳＲＳリソースのアップリンクビームフォーミング行列とは一致する、請求項９に記載のデータ伝送方法。
【請求項１１】
各アップリンクデータ伝送層と、前記Ｌ個のＳＲＳリソースのうちの少なくとも１つのＳＲＳリソースとの対応関係は、ＳＲＩマッピング識別子ＬＳＩによって指示され、
前記第１機器から送信される前記ＬＳＩを受信するステップと、
前記ＬＳＩを解析し、各アップリンクデータ伝送層と、前記Ｌ個のＳＲＳリソースのうちの少なくとも１つのＳＲＳリソースとの対応関係を取得するステップとをさらに含む、請求項９に記載のデータ伝送方法。
【請求項１２】
各アップリンクデータ伝送層と、前記Ｌ個のＳＲＳリソースのうちの少なくとも１つのＳＲＳリソースとの対応関係は、ＳＲＩによって指示され、
前記ＳＲＩに基づいてアップリンクデータ伝送を行うステップは、
前記ＳＲＩを解析し、各アップリンクデータ伝送層と、前記Ｌ個のＳＲＳリソースのうちの少なくとも１つのＳＲＳリソースとの対応関係を取得するステップと、
前記Ｌ個のＳＲＳリソースを用いて、対応するアップリンクデータ伝送層をそれぞれ送信するステップとを含む、請求項９に記載のデータ伝送方法。
【請求項１３】
前記ＳＲＩで指示されるＳＲＳリソースの数Ｌと、アップリンクデータ伝送の層数またはコードワード数とは一致し、
及び／又は
前記ＳＲＩで指示される第ｋ（整数であってかつ１≦ｋ≦Ｌ）個のＳＲＳリソースと、アップリンクデータ伝送の第ｋ層または第ｋ個のコードワードとは、対応関係が存在する、
請求項１２に記載のデータ伝送方法。
【請求項１４】
第１機器に応用されるデータ伝送装置において、
Ｋ個のサウンディング参照信号ＳＲＳリソースを指示するアップリンクのＳＲＳリソース構成情報を第２機器に送信する第１送信モジュールと、
前記第２機器から前記ＳＲＳリソース構成情報に基づいて送信されるＳＲＳ信号を受信する第１受信モジュールと、
前記Ｋ個のＳＲＳリソースのうちのＬ（１以上の整数であり、Ｌ≦Ｋ）個のＳＲＳリソースを指示するＳＲＳリソース指示情報ＳＲＩを特定する第１特定モジュールと、
前記ＳＲＩを前記第２機器に送信する第２送信モジュールとを含む、データ伝送装置。
【請求項１５】
第２機器に応用されるデータ伝送装置において、
Ｋ個のサウンディング参照信号ＳＲＳリソースを指示するアップリンクのＳＲＳリソース構成情報を第１機器から受信する第２受信モジュールと、
前記ＳＲＳリソース構成情報に基づいて、ＳＲＳ信号を前記第１機器に送信する第５送信モジュールと、
前記Ｋ個のＳＲＳリソースのうちのＬ（１以上の整数であり、Ｌ≦Ｋ）個のＳＲＳリソースを指示するＳＲＳリソース指示情報ＳＲＩを前記第１機器から受信する第３受信モジュールと、
前記ＳＲＩに基づいてアップリンクデータ伝送を行うアップリンクデータ伝送モジュールとを含む、データ伝送装置。
【国際調査報告】
2020523932.tif 000010
2020523932.tif 000011
2020523932.tif 000012
2020523932.tif 000013